(57)【要約】      （修正有）【課題】簡単に結束用紐を係止できると共に、装飾性にすぐれた結束補助具を提供する。【解決手段】本体と、本体に設けた、結束用紐１０の一端部１０ａ及び他端部１０ｂをそれぞれ係止する係止部とよりなる。また、係止部は、複数の紐通し孔よりなり、紐通し孔は、結束用紐１０の一端部１０ａを通し、一端部１０ａを本体に係止するための少なくとも３つの一方の第１、第２、第３紐通し孔１１ａ、１１ｂ、１１ｃと、前記結束用紐１０の他端部１０ｂを通し、他端部１０ｂを前記本体に係止するための少なくとも３つの他方の第１、第２、第３紐通し孔１２ａ、１２ｂ、１２ｃとよりなる。【選択図】図４
0003192997.tif 000002
【実用新案登録請求の範囲】
【請求項１】
本体と、該本体に設けた、結束用紐の一端部及び他端部をそれぞれ係止する係止部とよりなることを特徴とする結束補助具。
【請求項２】
前記係止部は、複数の紐通し孔よりなり、
該紐通し孔は、前記結束用紐の一端部を通し、該一端部を前記本体に係止するための少なくとも３つの一方の第１、第２、第３紐通し孔と、前記結束用紐の他端部を通し、該他端部を前記本体に係止するための少なくとも３つの他方の第１、第２、第３紐通し孔とよりなることを特徴とする請求項１に記載の結束補助具。
【請求項３】
前記本体は、生物を図案化した形状からなり、
生物を図案化した該本体は、左手部と右手部とを有し、
該左手部に前記一方の第１紐通し孔を設け、該右手部に前記他方の第１紐通し孔を設けたことを特徴とする請求項２に記載の結束補助具。
【請求項４】
前記本体は、生物を図案化した形状からなり、
生物を図案化した前記本体は、口部と手部とを有し、
該口部に前記一方の第１紐通し孔を設け、該手部に前記他方の第１紐通し孔を設けたことを特徴とする請求項２に記載の結束補助具。
【請求項５】
前記本体は、生物を図案化した形状からなり、
生物を図案化した前記本体は、口部を有し、
該口部に前記一方の第１紐通し孔及び前記他方の第１紐通し孔をそれぞれ設けたことを特徴とする請求項２に記載の結束補助具。
【請求項６】
生物を図案化した前記本体は、左足部と右足部を有し、
該左足部に前記一方の第２、第３紐通し孔をそれぞれ設け、該右足部に前記他方の第２、第３紐通し孔を設けたことを特徴とする請求項３、請求項４、又は請求項５に記載の結束補助具。
【請求項７】
結束用紐を更に有し、
該結束用紐の一端部は、前記一方の第１紐通し孔に、表側から裏側に通し、そして、前記一方の第２紐通し孔に、裏側から表側に通し、そして、前記一方の第３紐通し孔に、表側から裏側に通し、最後に、前記裏側に配置された結束用紐の下側にくぐらせ、
また、前記結束用紐の他端部は、前記他方の第１紐通し孔に、表側から裏側に通し、そして、前記他方の第２紐通し孔に、裏側から表側に通し、そして、前記他方の第３紐通し孔に、表側から裏側に通し、最後に、裏側に配置された結束用紐の下側にくぐらせることを特徴とする請求項１乃至請求項６のいずれか１に記載の結束補助具。
【請求項８】
付け札を更に有し、該付け札には、前記結束用紐の一端部及び他端部をそれぞれ挿通して固定する孔を有することを特徴とする請求項１乃至請求項７のいずれか１に記載の結束補助具。
【請求項９】
前記係止部は、輪状とした前記結束用紐の一端部及び他端部をそれぞれ係止する２つの凸部とよりなることを特徴とする請求項１に記載の結束補助具。
【請求項１０】
前記係止部は、輪状とした前記結束用紐の一端部及び他端部をそれぞれ係止する２つの溝部とよりなることを特徴とする請求項１に記載の結束補助具。
【請求項１１】
前記本体は、生物を図案化した形状からなり、
生物を図案化した該本体は、左手部と右手部とを有し、
該左手部に一方の係止部を設け、該右手部に他方の係止部を設けたことを特徴とする請求項９又は請求項１０に記載の結束補助具。
【請求項１２】
前記結束用紐は輪ゴムであることを特徴とする請求項９乃至請求項１１のいずれか１に記載の結束補助具。
【考案の詳細な説明】
【技術分野】
【０００１】
本考案は結束補助具、特に、結束用紐を用いて、箱の蓋を固定したり、長尺物を束ねたりするための結束補助具に関するものである。
【０００２】
なお、本願の結束補助具は、更に、ポスターや図面、絵画を丸めた状態に維持するために使用するなど、物を固定するため、又は、束ねるため、又は、外れないようにするため、又は、ある状態を維持するためなど、あらゆる物に使用される。
【背景技術】
【０００３】
従来、箱と蓋とを結束用紐でくくり、該結束用紐を、平板状の結束補助具の孔に通して固定し、前記箱と蓋とを固定するものがある（特許文献１）。
【０００４】
また、装飾性を高めるために、前記結束補助具の形状を、図案化した動物や植物としたものがある（特許文献２）。
【先行技術文献】
【特許文献】
【０００５】
【特許文献１】実開平６−１２３６４号公報
【特許文献２】実用新案登録第３１６４１１５号公報
【考案の概要】
【考案が解決しようとする課題】
【０００６】
しかしながら、前記従来の結束補助具は、結わえたものは、その結び目が装飾性に欠けると共に、結束補助具から結束用紐を外すのに手間がかかる。
【０００７】
また、一目で結束した状態が分かると共に、装飾性を兼ね備えたものはない。
【０００８】
本考案は、結束補助具から結束用紐を容易に外すことがで、また、一目で結束状態が分かり、装飾性にも優れ、子どもにとっても、扱いやすく、親しみやすい結束補助具を提供することを目的とする。
【課題を解決するための手段】
【０００９】
本考案の目的を達成すべく、本体と、該本体に設けた、結束用紐の一端部及び他端部をそれぞれ係止する係止部とよりなる。また、前記係止部は、複数の紐通し孔よりなり、該紐通し孔は、前記結束用紐の一端部を通し、該一端部を前記本体に係止するための少なくとも３つの一方の第１、第２、第３紐通し孔と、前記結束用紐の他端部を通し、該他端部を前記本体に係止するための少なくとも３つの他方の第１、第２、第３紐通し孔とよりなる。
【考案の効果】
【００１０】
本考案の結束補助具によれば、３つの孔を利用するので、結束用紐を結ぶことなく、結束用紐を結束補助具に係止させることができるので、取扱いが容易となる。
【００１１】
また、凸部又は溝部に結束用紐の一端部及び他端部を係止するようにしたものも、取扱いが容易になる。
【００１２】
また、一目で結束状態が分かると共に、動物が手や口で、紐を引っ張って、箱を結びつけているように見えるので、子どもなどに親しみやすく装飾性に優れる。
【図面の簡単な説明】
【００１３】
【図１】本考案の実施例１の結束補助具の正面図である。
【図２】該結束補助具の背面図である。
【図３】該結束補助具の側面図である。
【図４】該結束補助具に結束用紐を係止した状態を示す正面図である。
【図５】該結束補助具の背面図である。
【図６】該結束補助具に結束用紐を他の方法で係止した状態を示す正面図である  。
【図７】該結束補助具の背面図である。
【図８】該結束用補助具に付け札を固定した状態を示す正面図である。
【図９】該結束用補助具に付け札を固定した状態を示す背面図である。
【図１０】象を図案化した例の結束補助具の正面図である。
【図１１】ウサギを図案化した例の結束補助具の正面図である。
【図１２】ウシを図案化した例の結束補助具の正面図である。
【図１３】ブタを図案化した例の結束補助具の正面図である。
【図１４】該結束用補助具の他の使用例を示す参考図である。
【図１５】該結束補助具の更に他の使用例を示す参考図である。
【図１６】本考案の実施例２の結束補助具の結束用紐を係止した状態を示す正面図である。
【図１７】本考案の実施例３の結束補助具の正面図である。
【図１８】該結束補助具に結束用紐を係止した状態を示す正面図である。
【考案を実施するための形態】
【００１４】
以下、図面によって本考案の実施例を説明する。
【実施例１】
【００１５】
本考案の結束補助具の実施例１を図１乃至図５によって説明する。
【００１６】
１は、本考案の結束補助具を示し、該結束補助具１は、例えば、木製の平板状の本体２と、該本体２に設けた、１本の結束用紐１０の両端部１０ａ、１０ｂがそれぞれ挿入される、複数の紐通し孔３とよりなる。なお、該複数の紐通し孔３が、前記結束用紐１０の一端部１０ａ、他端部１０ｂをそれぞれ係止する一方及び他方の係止部となる。
【００１７】
なお、前記結束用紐１０は、伸び縮みのしない紐であっても、ゴム製などの伸び縮みする弾力性のある紐であってもよい。
【００１８】
また、前記本体２は、表側にライオンなどの動物が図案して形成され、また、裏側が平面に形成され、該本体２は、例えば、顔部４、胴体部５と、図１を見て、該胴体部５の右側に設けた左手部６と、該胴体部５の左側に設けた右手部７と、該胴体部５の下方部の右側に設けた左足部８と、該胴体部５の下方部の左側に設けた右足部９とよりなる。
【００１９】
また、前記紐通し孔３は、前記結束用紐１０の一端部１０ａを通すことにより、前記本体２に前記結束用紐１０の一端部１０ａを係止する、少なくとも３つの一方の第１紐通し孔、一方の第２紐通し孔１１ｂ、一方の第３紐通し孔１１ｃとよりなる一方の係止部と、前記結束用紐１０の他端部１０ｂを通すことにより、前記本体２に前記結束用紐１０の他端部１０ｂを係止する、少なくとも３つの他方の第１紐通し孔１２ａ、他方の第２紐通し孔１２ｂ、他方の第３紐通し孔１２ｃとよりなる他方の係止部とよりなる。
【００２０】
そして、前記一方の第１紐通し孔１１ａは、前記左手部６に形成され、前記一方の第２、第３紐通し孔１１ｂ、１１ｃは、それぞれ前記左足部８に形成される。また、前記他方の第１紐通し孔１２ａは、前記右手部７に形成され、前記他方の第２、第３紐通し孔１２ｂ、１２ｃは、前記右足部９に形成される。
【００２１】
なお、前記一方の第２、第３紐通し孔１１ｂ、１１ｃは、例えば、左右に並ぶようにし、前記一方の第２紐通し孔１１ｂが前記一方の第３の紐通し孔１１ｃよりも内側に位置するようにする。また、前記他方の第２、第３紐通し孔１２ｂ、１２ｃも、例えば、左右に並ぶようにし、前記他方の第２紐通し孔１２ｂが前記他方の第３紐通し孔１２ｃよりも内側に位置するようにする。
【００２２】
次に、本考案の結束補助具１を用いて、例えば、箱と蓋とからなる物品を結束する方法を説明する。
【００２３】
結束補助具１と結束用紐１０とが分離した状態から、まず、箱と蓋とを前記結束用紐１０でくくり、該結束用紐１０の一端部１０ａを、前記一方の第１紐通し孔１１ａに、前記本体２の表側から裏側に向かって通し、そして、前記一方の第２紐通し孔１１ｂに、前記本体２の裏側から表側に向かって通し、そして、前記一方の第３紐通し孔１１ｃに、前記本体２の表側から裏側に通し、最後に、裏側に配置された前記結束用紐１０の一端部１０ａの下側をくぐらせるようにする。また、同様に、前記結束用紐１０の他端部１０ｂを、前記他方の第１紐通し孔１２ａに、前記本体２の表側から裏側に向かって通し、そして、前記他方の第２紐通し孔１２ｂに、前記本体２の裏側から表側に向かって通し、そして、前記他方の第３紐通し孔１２ｃに、前記本体２の表側から裏側に通し、最後に、裏側に配置された前記結束用紐１０の他端部１０ｂの下側をくぐらせるようにする。
【００２４】
そして、該結束用紐１０の一端部１０ａの先端部及び他端部１０ｂの先端部をそれぞれ引っ張ることにより、前記結束用紐１０の一端部１０ａ及び他端部１０ｂがそれぞれ前記本体２に係止されて固定し、前記結束用紐１０により、前記箱と蓋とを固定できるようになる。
【００２５】
本考案の結束補助具１においては、３つ紐通し孔３に結束用紐１０の各端部１０ａ、１０ｂをそれぞれ順次通すことにより、簡単に該結束用紐１０の各端部１０ａ、１０ｂをそれぞれ結束補助具１に固定できると共に、その取り外しも簡単になる。
【００２６】
また、動物の手の部分に形成した紐通し孔３に、上述した順番で、結束用紐１０を挿入したので、外観上、あたかも動物が紐の両端を手で引っ張っているように見え、装飾性に優れると共に、一目で箱と蓋がくくられていることが分かるようになる。
【００２７】
また、前記結束用紐１０の一端部１０ａ及び他端部１０ｂの各先端部は、それぞれ前記結束用紐１０の下側をくぐらされるので、該一端部１０ａ及び他端部１０ｂの固定が確実になり、また、表側から見えず、装飾性が高い。
【００２８】
従って、装飾性が高く、子どもにとっても、扱いやすく、親しみやすいものとなる。
【００２９】
なお、前記結束用紐１０の各端部１０ａ、１０ｂは、それぞれ３つの孔に挿入することにより、前記本体２に係止されて、固定されるようになるので、前記のように、前記結束用紐１０の一端部１０ａを、前記一方の第１、第２、第３紐通し孔１１ａ、１１ｂ、１１ｃに通す代わりに、前記本体２に設けられた紐通し孔１１ａ、１１ｂ、１１ｃ、１２ａ、１２ｂ、１２ｃのうち、いずれかの３つを選択して、通すようにしてもよく、また、例えば、図６及び図７に示すように、前記一端部１０ａ、他端部１０ｂの先端部を前記結束用紐１０の下側にくぐらせなくてもよい。また、他端部１０ｂも同様である。
【００３０】
また、各結束用紐１０を、本体の表側から裏側に、又は、裏側から表側に、任意に通すようにしてもよい。
【００３１】
また、図８及び図９に示すように、文字などを記載した、又は、文字が書けるようにした、又は、なんらかの識別標識として機能する板状のプレートなどの付け札２０を別途設けると共に、該付け札２０の上部に、前記結束用紐１０の一端部１０ａを挿通して固定する少なくとも２つの一方の孔２１ａ、２１ａと、前記他端部１０ｂを挿通して固定する少なくとも２つの他方の孔２１ｂ、２１ｂとを設け、前記結束補助具１に前記付け札２０を固定できるようにしてもよい。
【００３２】
なお、前記付け札２０の下部に、更に、それぞれ一方の孔２１ａ、２１ａ、他方の孔２１ｂ、２１ｂを設けるようにしてもよい。
【００３３】
また、前記一端部１０ａを、一つの孔２１ａに挿通することにより固定し、前記他端部１０ｂを、一つの孔２１ｂに挿通することにより固定するようにしてもよい。
【００３４】
また、前記実施例では、ライオンを図案化したものであるが、例えば、図１０〜図１３に示すように、それぞれ象、ウサギ、ウシ、ブタを図案化した結束補助具１ａ〜１ｄであってもよく、その他の動物として、例えば、ペンギン、猫、クマ、カバ、犬、クラゲ、人間、恐竜等を図案化してもよい。
【００３５】
また、前記動物以外に、植物、魚類、昆虫などの生物であってもよい。また、該生物には、アニメに登場する各種キャラクター、怪獣、怪物、宇宙人、幽霊、亡霊、妖精、人造人間、ロボット、アンドロイド、乗り物、魔女、悪魔、歌う花木や静物などあらゆるものを擬人化したもの、などの想像上の生物も含まれる。
【００３６】
また、本発明の結束補助具は、前記結束用紐１０を用いて、図１４に示すように、何かしらを結束することなく、単に、例えば、ボトル２２の首などにひっかけて用いる、或いは、水筒などの物に固定して、物を区別するために使用することもでき、特に前記付け札２０を前記結束用紐１０に固定することにより、更にその区別が容易になる。
【００３７】
また、本発明の結束補助具は、前記結束用紐１０を用いて、図１５に示すように、何かしらを結束することなく、例えば、板状の物２３に固定して、前記結束用紐１０と該物２３との間に、メモ２４などを挟むようにして使用することもできる。
【実施例２】
【００３８】
本考案の結束補助具の実施例２を図１６によって説明する。
【００３９】
この実施例２の結束補助具１３は、前記実施例１の結束補助具１において、ライオンを図案化し、左手部６及び右手部７を、前記本体２の左右に設ける代わりに、猫を図案化したものとし、図１６を見て、本体２の例えば、左側に、左手部と右手部を重ねた両手部１４を設け、また、前記両手部１４に、他方の第１紐通し孔１２ａを設けると共に、顔部４に設けた口部１５に一方の第１紐通し孔１１ａを設けるようにする。
【００４０】
なお、前記口部１５は、喰いしばった歯が描かれるようにする。
【００４１】
この実施例２においては、口と手で紐を引っ張っているように見え、更に、装飾性に優れると共に、実施例１と同様、一目で、結束状態が分かるようになる。
【００４２】
なお、手部に紐通し孔３を設ける代わりに、口部に一方の第１紐通し孔１１ａ及び他方の紐通し孔１２ａを設けるようにして、口のみで紐を引っ張っているように見せてもよい。
【実施例３】
【００４３】
本考案の結束補助具の実施例３を図１７及び図１８によって説明する。
【００４４】
この実施例３の結束補助具１６は、実施例１の結束補助具１において、本体２に紐通し孔３を設ける代わりに、右手部７と左手部６にそれぞれ、凸部１８、１９を設ける。また、結束用紐として、輪ゴムや輪状にしたゴム紐などの一つの結束用紐１７を用い、該結束用紐１７を左右に引き延ばした時の一端部１７ａ及び他端部１７ｂをそれぞれ前記凸部１８、１９にひっかけて、前記本体２に該結束用紐１７の両端部１７ａ、１７ｂを係止できるようにする。なお、該凸部１８、１９が、前記結束用紐１７の一端部１７ａ、他端部１７ｂをそれぞれ係止する一方及び他方の係止部となる。
【００４５】
なお、前記結束用紐１７は、ゴムなど伸び縮みする弾性部材が好ましいが、伸び縮みしない部材であってもよい。
【００４６】
この実施例３においても、動物が手で紐を引っ張っているようにみえ、装飾性に優れると共に、実施例１と同様、一目で、結束状態が分かるようになる。
【００４７】
なお、前記係止部は、凸部１８、１９の代わりに、前記右手部７、左手部６に、溝部（図示せず）を設け、該溝部に、輪状にした結束用紐１７の各端部をひっかけて係止し、該結束用紐１７を本体２に固定できるようにしてもよい。
【産業上の利用可能性】
【００４８】
本考案の結束用補助具は、箱と蓋の他、新聞紙、雑誌、あらゆる物品の固定に用いることができる。
【符号の説明】
【００４９】
１      結束補助具
２      本体
３      紐通し孔
４      顔部
５      胴体部
６      左手部
７      右手部
８      左足部
９      右足部
１０    結束用紐
１０ａ  一端部
１０ｂ  他端部
１１ａ  一方の第１紐通し孔
１１ｂ  一方の第２紐通し孔
１１ｃ  一方の第３紐通し孔
１２ａ  他方の第１紐通し孔
１２ｂ  他方の第２紐通し孔
１２ｃ  他方の第３紐通し孔
１３    結束補助具
１４    両手部
１５    口部
１６    結束補助具
１７    結束用紐
１７ａ  一端部
１７ｂ  他端部  
１８    凸部
１９    凸部
２０    付け札
２１ａ  一方の孔
２１ｂ  他方の孔
２２    ボルト
２３    物
２４    メモ
【図１】
0003192997.tif 000003
【図２】
0003192997.tif 000004
【図３】
0003192997.tif 000005
【図４】
0003192997.tif 000006
【図５】
0003192997.tif 000007
【図６】
0003192997.tif 000008
【図７】
0003192997.tif 000009
【図８】
0003192997.tif 000010
【図９】
0003192997.tif 000011
【図１４】
0003192997.tif 000012
【図１５】
0003192997.tif 000013
【図１６】
0003192997.tif 000014
【図１７】
0003192997.tif 000015
【図１８】
0003192997.tif 000016
【図１０】
0003192997.tif 000017
【図１１】
0003192997.tif 000018
【図１２】
0003192997.tif 000019
【図１３】
0003192997.tif 000020